(57)【要約】【課題】内容器の保護と、内容器の交換時における操作性の向上を図った二重容器を提供する。【解決手段】外容器１０と、この外容器１０の内部に装着脱される内容器３０とを有する二重容器において、外容器１０は装着状態において内容器３０の表面の５０％以上７０％以下を被覆する外容器本体１１と、この外容器本体１１に設けられた第１の係合部１３と、外容器本体１１の側壁部１１ａ側壁部に形成され内容器３０が装着脱される装着用開口部１４とを有する。また内容器３０は、第１の係合部１３と係合する第２の係合部４０を有し、第１の係合部１３と第２の係合部４０が係合することにより、内容器３０が外容器１０に保持される構成とする。【選択図】図６
2013095496.tif 000002
【特許請求の範囲】
【請求項１】
外容器と、該外容器の内部に装着脱される内容器とを有する二重容器において、
前記外容器は、外容器本体と、前記外容器本体に設けられた第１の係合部と、前記外容器本体に側方に向けて開口するよう形成され前記内容器が装着脱される開口部とを有し、
前記内容器は、前記第１の係合部と係合する第２の係合部を有し、
前記第１の係合部と前記第２の係合部が係合することにより、前記内容器が前記外容器に保持される構成としたことを特徴とする二重容器。
【請求項２】
前記外容器本体は、装着状態において前記内容器の表面の５０％以上７０％以下を被覆することを特徴とする請求項１記載の二重容器。
【請求項３】
前記開口部の面積は、前記外容器本体の表面積に対して２０％以上４０％以下であることを特徴とする請求項１又は２記載の二重容器。
【請求項４】
前記外容器は、前記開口部の形成位置の両側部から開口部内側に向け延出した延出部を有し、
前記内容器は、大径部と、該大径部よりも小径な小径部とを有し、
前記内容器が前記外容器に装着される装着途中において、前記大径部が前記延出部と係合することにより前記内容器が前記外容器に保持される構成としたことを特徴とする請求項１乃至３のいずれか一項に記載の二重容器。
【請求項５】
前記第１の係合部は第１の回転防止部を有し、
前記第２の係合部は、装着状態で前記第１の回転防止部と係合し、前記外容器に対する前記内容器の回転を規制する第２の回転防止部を有することを特徴とする請求項１乃至４のいずれか一項に記載の二重容器。
【請求項６】
前記内容器の容積が50ml以上10000ml以下であることを特徴とする請求項１乃至５のいずれか一項に記載の二重容器。
【請求項７】
内部に内容器を装着脱される外容器であって、
外容器本体と、
前記内容器に形成された第２の係合部と係合する第１の係合部と、
前記外容器本体に側方に向けて開口するよう形成され、前記内容器が装着脱される開口部とを有することを特徴とする外容器。
【請求項８】
前記外容器本体は、装着状態において前記内容器の表面の５０％以上７０％以下を被覆することを特徴とする請求項７記載の外容器。
【請求項９】
前記開口部の面積は、前記外容器本体の表面積に対して２０％以上４０％以下であることを特徴とする請求項７又８記載の外容器。
【請求項１０】
前記外容器本体は、前記開口部の形成位置の両側部から開口部内側に向け延出した延出部を有することを特徴とする請求項７乃至９のいずれか一項に記載の外容器。
【請求項１１】
外容器の内部に装着脱される内容器であって、
内容器本体に大径部と、該大径部よりも小径な小径部とを形成し、
前記内容器本体が前記外容器に装着される装着途中において、前記大径部が前記外容器の一部と係合することにより、前記外容器に保持される構成としたことを特徴とする内容器。
【請求項１２】
前記内容器本体の容積が、50ml以上10000ml以下であることを特徴とする請求項１１記載の内容器。
【発明の詳細な説明】
【技術分野】
【０００１】
本発明は、二重容器及び外容器及び内容器に関する。
【背景技術】
【０００２】
一般に、外容器の内部に内容器を収納できるようにした二重容器が知られている。この二重容器は、外容器に対して内容器を交換することが可能であるため、外容器の再利用が可能となる。よって、外から見られる外容器に対してのみ外観性の向上を図ればよく、中に収納される内容器は廃棄されるレフィル容器となる。このため、内容器は容器の減量化を図ることができ、地球環境への負荷の軽減を図ることができる。
【０００３】
ここで、二重容器の一例として、内容物を定量吐出することができるディスペンサー容器を例に挙げて説明する。従来の二重容器構造のディスペンサー容器は、ディスペンサー（定量吐出ポンプ）を外容器にネジ締めにより取り付ける際、この螺着力により内容器も外容器に固定する構造のものが多い（特許文献１参照）。
【０００４】
このディスペンサー容器において内容器を交換する場合、先ずディスペンサーを回してディスペンサーを外容器から取り外す。これにより、内容器も外容器に対して取外し可能な状態となり、使用済みの内容器を外容器から取り外して廃棄を行う。続いて、新品である内容器を外側容器の装着位置に位置決めし、この状態を維持しつつディスペンサーを外容器にネジ止めする。以上のようにして、外容器に対する内容器の取り替え処理が行われていた。
【先行技術文献】
【特許文献】
【０００５】
【特許文献１】特開２００８−１８９３１５号公報
【発明の概要】
【発明が解決しようとする課題】
【０００６】
ところで従来の二重容器は、外容器に対して内容器を装着する方法として、特許文献１のように外容器の上から挿入装着するか、或いは外容器の底に開口を形成しておくことにより外容器の下から挿入装着する方法が採られていた。しかしながら、この従来の装着方法では、内容器の内容物が例えばシャンプーのように重量物である場合、内容器の装着操作が面倒であるという問題点があった。
【０００７】
本発明は上記の点に鑑みてなされたものであり、交換時における操作性の向上を図った二重容器及び外容器及び内容器を提供することを目的とする。
【課題を解決するための手段】
【０００８】
上記の課題は、第１の観点からは、
外容器と、該外容器の内部に装着脱される内容器とを有する二重容器において、
前記外容器は、容器本体と、前記容器本体の上部に設けられた第１の係合部と、前記容器本体の背面に側方に向けて開口するよう形成され前記内容器が装着脱される開口部とを有し、
前記内容器は、前記第１の係合部と係合することにより前記外容器に対する位置決めを行う第２の形式後部を有することを特徴とする二重容器により解決することができる。
【０００９】
また上記の課題は、第２の観点からは、
内部に内容器を装着脱される外容器であって、
外容器本体と、
前記内容器に形成された第２の係合部と係合する第１の係合部と、
前記外容器本体に側方に向けて開口するよう形成され、前記内容器が装着脱される開口部とを有することを特徴とする外容器により解決することができる。
【００１０】
また上記の課題は、第３の観点からは、
外容器の内部に装着脱される内容器であって、
内容器本体に大径部と、該大径部よりも小径な小径部とを形成し、
前記内容器本体が前記外容器に装着される装着途中において、前記大径部が前記外容器の一部と係合することにより、前記外容器に保持される構成としたことを特徴とする内容器により解決することができる。
【発明の効果】
【００１１】
開示の発明によれば、外容器は広い面積にわたり内容器を覆うため外容器により内容器の保護を確実に行うことができる。また、外容器の側壁部に形成された開口部を介して内容器の装着脱ができるため、外容器に対する内容器の装着脱処理を容易に行うことができる。
【図面の簡単な説明】
【００１２】
【図１】図１は本発明の一実施形態である二重容器の全体図であり、（Ａ）は平面図、（Ｂ）は正面図、（Ｃ）は底面図、（Ｄ）は右側面図、（Ｅ）は背面図である。
【図２】図２は本発明の一実施形態である二重容器を構成する外容器の斜視図であり、（Ａ）は正面から見た斜視図、（Ｂ）は背面から見た斜視図である。
【図３】図３は本発明の一実施形態である二重容器を構成する外容器を示す図であり、（Ａ）は平面図、（Ｂ）は正面図、（Ｃ）は左側面図、（Ｄ）は背面図である。
【図４】図４は本発明の一実施形態である二重容器を構成する内容器を示す図であり、（Ａ）は平面図、（Ｂ）は正面図、（Ｃ）は底面図、（Ｄ）は左側面図である。
【図５】図５は本発明の一実施形態である二重容器を構成する内容器を示す図であり、（Ａ）は首部の横断面図であり、（Ｂ）は首部の縦断面図である。
【図６】図６は内容器を外容器に装着する動作を説明するための図である（その１）。
【図７】図７は内容器を外容器に装着する動作を説明するための図である（その２）。
【図８】図８は内容器を外容器に装着する動作を説明するための図である（その３）。
【図９】図９は内容器を外容器に装着する動作を説明するための図である（その４）。
【図１０】図１０は、内容器を外容器に装着した状態を示す断面図である。
【発明を実施するための形態】
【００１３】
次に、本発明の実施の形態について図面と共に説明する。
【００１４】
図１は、本発明の一実施形態である二重容器１を示している。二重容器１は、外容器１０と内容器３０とにより構成されている。内容器３０は外容器１０の内部に装着され、この装着状態において内容器３０は外容器１０に保持される。
【００１５】
本実施形態では、二重容器１をシャンプー容器に適用した例を示している。このため、内容器３０の首部３２にはディスペンサー５０が装着されている。この二重容器１は、浴室や洗面台等に載置された状態で使用される。しかしながら、本発明に係る二重容器１の適用はシャンプー容器に限定されるものではなく、外容器に対して内部空間をレフィルとして交換する形態の各種容器に適用が可能なものである。
【００１６】
次に、二重容器１を構成する外容器１０及び内容器３０について説明する。
【００１７】
先ず、外容器１０について説明する。図２及び図３は、外容器１０を説明するための図である。図２は、外容器１０の斜視図であり、図３は外容器１０の平面、正面、側面、及び背面を夫々示している。
【００１８】
外容器１０は、硬質の樹脂により形成されている。しかしながら、外容器１０の材質は樹脂に限定されるものではなく、金属、セラミック等の他の材質を用いることも可能である。この外容器１０は、外容器本体１１、装着用凹部１２、第１の係合部１３、装着用開口部１４、延出部１５、回転防止用切欠き部１６、及び底部１８等を有した構成とされている。
【００１９】
外容器本体１１は、後述する内容器３０を内部に収納し保持する機能を奏する。この外容器本体１１は、内部に内容器３０を収納することを条件に任意の形状に形成することが可能である。よって、デザイン性に富んだ形状にすることができる。
【００２０】
また本実施形態では、外容器本体１１は内部に装着された内容器３０を吊った状態で保持する構成とされている。このため、外容器本体１１には内容器３０を吊るした状態で保持するための第１の係合部１３が設けられている。
【００２１】
第１の係合部１３は、外容器本体１１の天板部１７に形成されている。図３（Ａ）に示すように、外容器本体１１の天板部１７には、内容器３０の首部３２が挿入されるＵ字状の装着用凹部１２が形成されている。この装着用凹部１２の外周縁部分が第１の係合部１３となる。
【００２２】
また、第１の係合部１３の中央位置には、回転防止用切欠き部１６が形成されている。この回転防止用切欠き部１６は矩形状の切欠きであり、内容器３０が外容器１０に装着された際に、内容器３０に形成された回転防止用突起４５（図５参照）が係合するよう構成されている。
【００２３】
装着用開口部１４は、図２（Ｂ）及び図３（Ｄ）に示すように、外容器本体１１の背面に側方に向けて開口するよう形成されている。内容器３０は、この装着用開口部１４を介して外容器本体１１の内部に形成された内部空間２０に装着脱される。即ち、本実施形態に係る二重容器１は、内容器３０を外容器１０の側部から装着脱する構成としている。
【００２４】
なお、外容器１０内に形成された内部空間２０は、後述する内容器３０の形状に対応し、上部に形成された上部内部空間２０Ａが下部に形成された下部内部空間２０Ｂに対して大きい容積を有した形状とされている。
【００２５】
延出部１５は、外容器本体１１の装着用開口部１４を挟んだ側壁部１１ａから内側に向けて形成されている。換言すると、延出部１５は側壁部１１ａから装着用開口部１４内に延出するよう形成されている。
【００２６】
この延出部１５が形成されることにより、装着用開口部１４の形状は全体として略瓢箪形状とされている。具体的には図２（Ｂ）及び図３（Ｄ）に示すように、最上部に大径の湾曲状部１４ａが存在し、その下部に内側に向け延出した延出部１５が存在し、その下部に幅が略同一寸法（図３（Ｄ）に矢印Ｗ３で示す寸法）の同一幅部１４ｂが存在した形状とされている。
【００２７】
また、延出部１５の所定位置（上側の一部）は、後述する内容器３０の境界部３６と係合し、内容器３０の外容器１０への装着をガイドするガイド部２１となる。図３（Ｄ）に矢印Ｗ２で示すのは、この左右一対のガイド部２１間の幅寸法である。
【００２８】
底部１８は、外容器本体１１の下部に配設されている。この外容器本体１１は袴形状とされており、外容器１０を載置したときの安定性を高めている。また、底部１８の装着用開口部１４と対向する位置には、引掛け部２３が形成されている（図２（Ｂ）及び図３（Ｄ）参照）。この引掛け部２３は、内容器３０を外容器１０に装着する際、内容器３０の下部が係合するよう構成されている。
【００２９】
次に、図４及び図５を参照し、内容器３０について説明する。
【００３０】
図４は内容器３０の平面、正面、底面、及び側面を示している。また、図５は、内容器３０の首部３２の縦断面及び横断面を示している。
【００３１】
内容器３０はレフィル容器であり、内容物（本実施形態ではシャンプー）の使用が終了すると外容器１０から取り外されて廃棄されるものである。また、本実施形態ではシャンプーを内容物とするため、内容器３０の容積が50ml以上10000ml以下の範囲とされている。
【００３２】
この容積の内容器３０にシャンプーを装てんしたときの重さは、50g〜10000gとなる。このように、内容物を充填した内容器３０はかなり重くなるため、従来のように内容器を外容器に対して上から或いは下から装着する方法では、外容器に対する内容器の交換処理が面倒となることは前述した通りである。
【００３３】
内容器３０は、内容器本体３１、首部３２、第２の係合部４０、及び回転防止用突起４５等を有した構成とされている。
【００３４】
内容器本体３１及び首部３２は、樹脂により一体的に形成されている。この内容器３０は、強度を必要とする首部３２を除き、内容器本体３１の厚さは所定の強度を維持できる範囲で極力薄く設定されている。具体的には本実施形態では、厚さが0.2mm程度とされている。
【００３５】
これは、地球環境の保護及び負荷の軽減を図るため、廃棄される量を極力少なくする面から設定されている。また、同目的を達成するため、内容器３０の材質を植物由来プラスチックや生分解性プラスチックを用いる構成としてもよい。
【００３６】
内容器本体３１は、大径部３３、小径部３４、及び底部３５を一体的に形成した構成とされている。大径部３３は、首部３２から下方に行くに従い漸次直径が大きくなる大径部上部３３ａと、下方に行くに従い漸次直径が小さくなる大径部下部３３ｂと、この大径部上部３３ａと大径部下部３３ｂの境界部分に形成された境界部３６とにより構成されている。
【００３７】
大径部上部３３ａと大径部下部３３ｂとが接する位置は、大径部３３の直径が最大となる。この時の直径（最大直径）を図４（Ｂ）に矢印Ｌ２で示す。
【００３８】
境界部３６は、この大径部上部３３ａと大径部下部３３ｂとが接する位置に形成されている。この境界部３６は、内側に向け傾いた傾斜面とされている。
【００３９】
小径部３４は、大径部３３の下部に設けられている。この小径部３４は、同一直径（図４（Ｂ）に矢印Ｌ３で示す）とされた円筒状の部分である。底部３５は、小径部３４の下部に設けられている。この底部３５は、略半球形状とされている。
【００４０】
前記のように、内容器本体３１を構成する大径部３３、小径部３４、及び底部３５は、その厚さが0.2mm程度と薄く設定されている。このため、内容器本体３１自体の剛性は外容器１０に対して低く、また強度も外容器１０よりも弱くなっている。
【００４１】
首部３２は、内容器本体３１の上部に一体的に形成されている。この首部３２の厚さは、内容器本体３１の厚さに比べて厚く設定されている。よって、この首部３２は所定の強度を有しており、後述する外容器１０に保持される際、またディスペンサー５０が装着される際に不都合が生じることはない。
【００４２】
首部３２は、ねじ部３７、第２の係合部４０、及び回転防止用突起４５等を有している。ねじ部３７は、首部３２の外周に形成されている。ディスペンサー５０及び後述するキャップ３９は、このねじ部３７に螺着されることにより内容器３０に装着される。
【００４３】
第２の係合部４０は、内容器本体３１の上面部４１に対して離間して形成されている。この第２の係合部４０は、平面視で円形状を有した鍔状の形状とされている。この第２の係合部４０の直径Ｌ１（図４（Ａ）に示す）は、前記した外容器１０の天板部１７に形成された装着用凹部１２の直径Ｗ１（図３（Ａ）参照）に比べて大きくなるよう設定されている（Ｌ１＞Ｗ１）。
【００４４】
また、上面部４１と第２の係合部４０との間に形成される間隙部４２の離間距離は、第１の係合部１３の厚さと同等程度に設定されている。具体的には、間隙部４２の隙間距離は、後述するように間隙部４２内に第１の係合部１３が挿入された際、第１の係合部１３が第２の係合部４０と上面部４１との間で挟持されるよう設定されている。
【００４５】
また、首部３２の間隙部４２の内部には、図５（Ａ），（Ｂ）に示すように、回転防止用突起４５が形成されている。この回転防止用突起４５は矩形の突起であり、首部３２から外方に向け突出した構成とされている。また、回転防止用突起４５は、前記した第１の係合部１３に形成された回転防止用切欠き部１６と係合する形状とされている。
【００４６】
更に、第２の係合部４０の回転防止用突起４５と対応する位置には、位置決め用マーク４３が形成されている（図４（Ａ）参照）。従って、回転防止用突起４５が鍔状の第２の係合部４０の下部に形成されていても、二重容器１（内容器３０）の使用者は、第２の係合部４０の上部から回転防止用突起４５の位置を認識することができる。
【００４７】
次に、上記構成とされた二重容器１において、外容器１０に対して内容器３０を装着する動作について説明する。図６乃至図９は、内容器３０を外容器１０に装着する動作を示している。
【００４８】
内容器３０の首部３２には、キャップ３９が装着されている。この内容器３０を外容器１０に装着するには、先ず装着処理を行う操作者は図６に示されるように、内容器３０を外容器１０に対して傾ける。そして、内容器３０の小径部３４及び底部３５を外容器１０の装着用開口部１４内に挿入する。これにより、小径部３４及び底部３５の一部は、装着用開口部１４の下部に位置する同一幅部１４ｂ内に挿入され、よって外容器１０の内部に形成された下部内部空間２０Ｂ内に挿入される。
【００４９】
この際、装着用開口部１４の同一幅部１４ｂの幅寸法Ｗ３（図３（Ｄ）に示す）は、小径部３４の直径Ｌ３（図５（Ｂ）参照）よりも大きく設定されている（Ｗ３＞Ｌ３）。よって、装着用開口部１４内に向けて延出部１５が延出形成されていても、小径部３４及び底部３５が装着用開口部１４内に挿入するに際し、この装着用開口部１４が邪魔になるようなことはない。
【００５０】
次に、操作者は図７に示すように、底部３５を外容器１０の底部１８に形成された引掛け部２３に引掛ける。そして、この引掛け部２３を中心に内容器３０を図中矢印Ａ方向（外容器１０に向かう方向）に回転させる。この操作により大径部３３は、装着用開口部１４に形成された湾曲状部１４ａを介して、外容器１０に形成された上部内部空間２０Ａ内に挿入されて行く。
【００５１】
この際、大径部３３の最大直径Ｌ２は、一対のガイド部２１間の幅寸法Ｗ２よりも若干大きく設定されている（Ｌ２＞Ｗ２）。よって、大径部３３を上部内部空間２０Ａ内に装着する装着途中において、大径部３３はガイド部２１と係合する。
【００５２】
具体的には、大径部３３の最大直径位置に形成された境界部３６が、ガイド部２１に係合した状態となる。これにより、大径部３３は延出部１５上に乗ったような状態となり、内容器３０は延出部１５に保持された状態となる。
【００５３】
よって、境界部３６がガイド部２１に係合した後は、内容器３０の重さは境界部３６（延出部１５）で受けられるため、操作者が重い内容器３０を手で持つ必要がなくなる。これにより、以後の装着処理においては、操作者は内容器３０を矢印Ａ方向にスライド操作するのみでよいため、外容器１０に対する内容器３０の装着処理を容易に行うことができる。
【００５４】
操作者が更に内容器３０を矢印Ａ方向に回転付勢すると、内容器３０は引掛け部２３と底部３５との係合位置、及び境界部３６とガイド部２１との係合位置で位置決めされつつ、矢印Ａ方向に回転する。これにより、内容器３０の上端部に形成された首部３２は、外容器１０の天板部１７に形成された装着用凹部１２内に挿入されて行く。
【００５５】
前記のように、内容器３０の首部３２には第２の係合部４０が形成されている。また、上面部４１と第２の係合部４０との間には間隙部４２が形成されている。よって図８に示すように、内容器３０の矢印Ａ方向への回転伴い、相対的に装着用凹部１２の外周縁に位置する第１の係合部１３は、間隙部４２内に挿入されて行く。
【００５６】
前記のように、第２の係合部４０の直径Ｌ１（図４（Ａ）参照）は、装着用凹部１２の直径Ｗ１（図３（Ａ）参照）よりも大きく設定されている（Ｌ１＞Ｗ１）。よって、第１の係合部１３が間隙部４２内に挿入されることにより、第１の係合部１３と第２の係合部４０は係合した状態となる。
【００５７】
更に内容器３０を矢印Ａ方向に回転することにより、第２の係合部４０は更に矢印Ａ方向に移動する。そして、内容器３０が所定装着位置の直前位置まで移動した時点で、操作者は第２の係合部４０に形成されている位置決め用マーク４３（図４（Ａ）参照）と、外容器１０の第１の係合部１３（天板部１７）に形成されている回転防止用切欠き部１６との位置決めを行う。
【００５８】
この位置決めは、外容器１０に対して内容器３０を回転することにより行う。この際、前記のように第１の係合部１３と第２の係合部４０とは係合しているため、内容器３０の重さは第１及び第２の係合部１３，４０の係合位置で受けられている。このため、内容器３０の位置決め処理は、容易に行うことができる。
【００５９】
回転防止用切欠き部１６と位置決め用マーク４３との位置決めが終了すると、操作者は更に内容器３０を矢印Ａ方向に移動させる。これにより、回転防止用突起４５は回転防止用切欠き部１６内に進行し、回転防止用突起４５と回転防止用切欠き部１６とは係合した状態となる。
【００６０】
回転防止用突起４５と回転防止用切欠き部１６とが係合することにより、内容器３０の外容器１０に対する回転が規制される。よって、キャップ３９の内容器３０からの取外し処理、及びその後にディスペンサー５０を首部３２のねじ部３７に装着する処理を容易に行うことができる。
【００６１】
以上の操作により、図９及び図１０に示すように、内容器３０は外容器１０内に装着される。上記の装着操作によれば、境界部３６とガイド部２１とが係合した後は、内容器３０の重量は境界部３６とガイド部２１との係合位置で受けられるため、内容器３０が重くても、その後の装着操作を容易に行うことができる。
【００６２】
また、回転防止用切欠き部１６と回転防止用突起４５との位置合わせも、操作者が上部から視認できる第２の係合部４０に形成された位置決め用マーク４３を用い、これを回転防止用切欠き部１６に位置合わせすることにより容易に行うことができる。
【００６３】
また本実施形態では、内容器３０を外容器１０に吊るした状態で保持するため、内容器３０を載置する構成と異なり、内容器３０が薄い肉厚の容器であっても底部３５の形状が変形することはない。このため、内容器３０内の内容物を最後まで確実にディスペンサー５０により吐出処理することができる。
【００６４】
ここで、装着状態における外容器１０及び内容器３０に注目する。
【００６５】
本実施形態に係る二重容器１は、外容器１０の側壁に形成された装着用開口部１４に対し、側方から内容器３０を装着する構成とされている。この装着状態において、本実施形態では、外容器１０が内容器３０の表面の５０％以上７０％以下を被覆するよう設定している。また本実施形態では、装着用開口部１４の面積を、外容器１０の表面積に対して２０％以上４０％以下となるよう設定している。
【００６６】
この構成することにより、装着脱時における良好な操作性を維持しつつ、外容器１０による内容器３０の保護を確実に行うことが可能となる。以下、その理由について説明する。
【００６７】
先ず、装着用開口部１４の面積に注目すると、外容器１０に形成される装着用開口部１４の面積が広くなると、これに伴い内容器３０が外部に露出する面積が増大する。内容器３０の外部に対する露出面積が大きくなると、外力等の印加により内容器３０を損傷する可能性が高くなる。
【００６８】
前記のように、内容器３０は最終的には廃棄されるものであるため、地球環境への負荷の軽減する面から内容器３０の厚さは薄くされている。このため、内容器３０の強度は廃棄されない外容器１０に比べて弱くなっている。よって、地球環境を考慮した内容器３０を用いた場合、上記の問題は更に重大となる。
【００６９】
これを防止するためには、従来のように外容器が内容器の全体を包み込む構成とすることが考えられる。しかしながらこの構成では、内容器３０の保護は図れるものの、外容器に対して内容器を上部或いは下部から挿入する必要があり、特に内容器３０が重量物であった場合にその操作が面倒になることは前述した通りである。
【００７０】
本実施形態に係る二重容器１は、装着用開口部１４を介して外容器１０の側部から内容器３０を外容器１０に装着できる構成とすることにより装着作業性の向上を図ると共に、装着用開口部１４の面積を容易な装着作業を行いうる最小の面積としたことを特徴としている。
【００７１】
本発明者の実験では、外容器１０が内容器３０を被覆する面積（以下、被覆面積という）が、内容器３０の表面の５０％未満であると、外力等の印加により内容器３０の損傷が多発することが判明した。逆に、被覆面積が内容器３０の表面の７０％を超える面積とすると、装着用開口部１４の面積が相対的に小さくなり、外容器１０に対する内容器３０の装着脱操作に支障が生じることが判った。
【００７２】
一方、装着用開口部１４の面積を外容器１０の表面積に対して２０％未満とした場合には、外容器１０に対する内容器３０の装着脱操作に支障が生じることが判った。また、装着用開口部１４の面積を外容器１０の表面積に対して４０％を超える面積とすると、内容器３０の装着脱性は向上するものの、外容器１０の強度が低下することが判明した。特に装着用開口部１４の面積が外容器１０の表面積に対して５０％を超えると、ディスペンサー５０の押圧操作の仕方によっては、外容器１０に歪みが生じる場合があることが判明した。
【００７３】
よって、本実施形態に係る二重容器１によれば、内容器３０の外容器１０に対する装着性を良好にできると共に、内容器３０を確実に保護することが可能となる。
【００７４】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００７５】
１  二重容器
１０  外容器
１１  外容器本体
１２  装着用凹部
１３  第１の係合部
１４  装着用開口部
１５  延出部
１６  回転防止用切欠き部
２０  内部空間
２０Ａ  上部内部空間
２０Ｂ  下部内部空間
２１  ガイド部
２３  引掛け部
３０  内容器
３１  内容器本体
３２  首部
３３  大径部
３４  小径部
３５  底部
３６  境界部
３７  ねじ部
４０  第２の係合部
４２  間隙部
４３  位置決め用マーク
４５  回転防止用突起
５０  ディスペンサー
【図１】
2013095496.tif 000003
【図２】
2013095496.tif 000004
【図３】
2013095496.tif 000005
【図４】
2013095496.tif 000006
【図５】
2013095496.tif 000007
【図６】
2013095496.tif 000008
【図７】
2013095496.tif 000009
【図８】
2013095496.tif 000010
【図９】
2013095496.tif 000011
【図１０】
2013095496.tif 000012